(57)【要約】【課題】簡易な構成で低コストで製作でき、外観上の体裁も良く、しかもポーションの収納作業性や取り出し操作性にも極めて優れたポーション収納ケースを提供すること。【解決手段】ポーション収納ケース１は、複数のポーションＰを上下に積み重ねて収容可能な収容孔２を有するケース本体３と、ケース本体３を起立状態に支持する支持部４と、ケース本体３の上部に設けられ、ポーションＰを収容孔２内に収容するための上部開口３１と、ケース本体３の下部に設けられ、収容孔２内の最下段のポーションＰを取り出すための下部開口３２とを備える。収容孔２は、その内面形状が、ポーションを整列状態で上下多段に積み重ねて収容できる形状とした。【選択図】図１
2006062657.tif 000002
【特許請求の範囲】
【請求項１】
複数のポーションを上下に積み重ねて収容可能な収容孔を有するケース本体と、
ケース本体を起立状態に支持する支持部と、
ケース本体の上部に設けられ、前記ポーションを収容孔内に収容するための上部開口と、
ケース本体の下部に設けられ、収容孔内の最下段のポーションを取り出すための下部開口と、を備え、
前記収容孔は、その内面形状が、前記ポーションを整列状態で上下多段に積み重ねて収容できる形状である、ポーション収納ケース。
【請求項２】
前記ケース本体または前記支持部の少なくとも何れか一方には、前記下部開口からポーションを取り出す際に、その直上に位置するポーションが最下段へ自重で移動する姿勢を制御する姿勢制御部が設けられている、請求項１に記載のポーション収納ケース。
【請求項３】
前記ポーションは、上面開口の周囲にフランジを形成した本体部と、フランジの表面に対して剥離可能に密着させたシール蓋とを備え、前記姿勢制御部は、収容孔の内壁面であってポーション取り出し方向と反対側の内壁面から突出し、最下段の直上に位置するポーションのフランジ下面に仮係合可能な突起である、請求項２記載のポーション収納ケース。
【請求項４】
前記ケース本体の収容孔は、その水平断面形状が前記ポーションの平面形状に対応している、請求項１又は２記載のポーション収納ケース。
【請求項５】
前記ケース本体には、収容孔内に収容されたポーションの一部を露呈させるためのスリットがケース本体の上下方向に延びている、請求項１〜４の何れかに記載のポーション収納ケース。
【請求項６】
間隔をおいて配置された筒状のケース本体を複数備え、各ケース本体は前記支持部によって支持されている、請求項１記載のポーション収納ケース。
【請求項７】
前記各ケース本体の少なくとも一つには、収容孔内に収容されたポーションの一部を露呈させるためのスリットがケース本体の上下方向に延びている、請求項６に記載のポーション収納ケース。
【請求項８】
前記ケース本体は、間隔をおいて配置された複数の収容孔を有し、前記上部開口及び下部開口は各収容孔毎に設けられている、請求項１〜５の何れかに記載のポーション収納ケース。
【請求項９】
前記ケース本体には、各収容孔内に収容されたポーションの一部を露呈させるためのスリットがケース本体の上下方向に延びている、請求項８に記載のポーション収納ケース。
【発明の詳細な説明】
【技術分野】
【０００１】
本発明は、内容物入りの小型容器であるポーションを積み重ねて複数収容し、必要に応じて一個づつ取り出して使用できるように構成したポーション収納容器に関する。
【背景技術】
【０００２】
例えば、ミルクやシロップ等を封入したポーションは、利便性や保管性、携帯性などの点で優れているため、特に、飲食店、ホテル、オフィス等でも従来から広く使用されている。
【０００３】
しかし、このポーションの使用形態に着目してみると、例えば喫茶店などにおいては、テーブル上に置いた篭容器などにこれらのポーションを多数収容したものを来店者が個々に使用しているのが実情である。このように多数のポーションを篭などに入れた状態では、見栄えや体裁が悪く、特に、高級店においてはその雰囲気を損なう場合もあるため、テーブル上には配置し難い問題があった。
【０００４】
なお、小型容器や小物を多数収納可能なケースは、特許文献１や特許文献２等に記載のように従来から公知である。例えば、特許文献１には、少量の粉末化粧品を収納する小型容器を多数収納可能に構成した小型容器収納ケースが記載されている。特許文献２には携帯用ティッシュペーパーを一個づつ取り出し可能に構成した袋入りティッシュペーパの技術が記載されている。
【０００５】
しかし、この小型容器収納ケースは、構造が複雑な上に体裁が良いとは言えない。また、全体が平面ほぼ円形で方向性にこだわらない小型容器では、これをただ単に積み重ねても体裁上の問題は生じないが、ポーションのように、平面的に見て鋭角に突出した摘み部分がある変形楕円状の平面輪郭を有するものでは、それ自体が方向性を持つため、整列させることなく乱雑に積み重ねている印象となり、外観上好ましくない。外観については特許文献２に記載の技術においても同様である。
【特許文献１】実開平５−３１６３号公報
【特許文献２】実開昭５８−１９４１７６号公報
【発明の開示】
【発明が解決しようとする課題】
【０００６】
本発明の課題は、簡易な構成で低コストで製作でき、外観上の体裁も良く、しかもポーションの収納作業性や取り出し操作性にも極めて優れたポーション収納ケースを提供しようとするものである。
【課題を解決するための手段】
【０００７】
本発明のポーション収納ケースは、複数のポーションを上下に積み重ねて収容可能な収容孔を有するケース本体と、ケース本体を起立状態に支持する支持部と、ケース本体の上部に設けられ、ポーションを収容孔内に収容するための上部開口と、ケース本体の下部に設けられ、収容孔内の最下段のポーションを取り出すための下部開口とを備え、収容孔は、その内面形状が、ポーションを整列状態で上下多段に積み重ねて収容できる形状としたものである。
【０００８】
本発明によれば、ケース本体の上部開口から複数のポーションを自重で落下させて、収容孔内に積み重ねる。その際、収容孔の内面形状がポーションを一方向向きの整列状態で上下多段に積み重ねて収容できる形状となっているので、各ポーションが一方向を向き、方向性を以て整列する。これにより全体の体裁が良くなり、外観が向上する。また、最下部のポーションを下部開口から取り出すと、直上のポーションが最下部へ自重により移動する。これよりポーションの取り出し位置に待機させられる。
【０００９】
本発明では、ケース本体または支持部の少なくとも何れか一方には、下部開口からポーションを取り出す際に、その直上に位置するポーションが最下段へ自重で移動する姿勢を制御する姿勢制御部が設けられていることが望ましい。
【００１０】
この姿勢制御部を設けるた場合、ポーション全体を整列状態の姿勢に保ちつつ、直上のポーションを最下段へ自重で移動させることが可能になる。これにより、ポーションの取り出し操作性が向上する。
【００１１】
ここで、ポーションとしては、上面開口の周囲にフランジを形成した本体部と、フランジの表面に対して剥離可能に密着させたシール蓋とを備え、姿勢制御部としては、収容孔の内壁面であってポーション取り出し方向と反対側の内壁面から突出し、最下段の直上に位置するポーションのフランジ下面に仮係合可能な突起であることが望ましい。
【００１２】
このようにフランジに仮係合可能な突起を設けた場合、最下段のポーションを取り出す際に、その直上のポーションを一時的に自重落下させない作用を発揮させることができる。即ち、積み重ねられた状態で最下段のポーションを取り出すと、その取り出すポーションによって支持されていた直上のポーションの支持位置が連続的に変化して最後に無くなるため、それに伴って直上のポーションは傾斜しながら自重落下することになる。この点、突起によって直上のポーションを一時的に支持しておくことにより、整列時の直立姿勢を保持しつつ自重落下させることができる。
【００１３】
また、ケース本体の収容孔は、その水平断面形状がポーションの平面形状に対応していることが望ましい。このような形状にすれば、きわめて簡易な構成で、収容孔内の全てのポーションの、水平面内での回転を防ぐことができる。
【００１４】
また、ケース本体には、収容孔内に収容されたポーションの一部を露呈させるためのスリットがケース本体の上下方向に延びている構成とすることもできる。このスリットについては、そこからポーションの摘み部分を露呈させることもできるし、他の部分を露呈させることもできる。ただ、スリットの幅を指先が入る程度に大きくした場合、ポーションを収容孔内に収納する際のガイドや整列操作用のスリットなどの機能を発揮させることができる。
【００１５】
一方、本発明のポーション収納ケースは、間隔をおいて配置された筒状のケース本体を複数備え、各ケース本体は前記支持部によって支持されている構成とすることもできる。このように構成した場合、筒状のケース本体がタワー状に複数起立し、それらが一つの支持部によって支持される形態となるので、外観に変化を付けることができるだけでなく、より多くのポーションを収容することができる。さらに、各ケース本体毎に、大きさや種類あるいは内容物の異なるポーションを収納する形態とすることもできる。これにより利便性をさらに高めることができる。
【００１６】
また、本発明のポーション収納ケースのケース本体は、間隔をおいて配置された複数の収容孔を有し、各収容孔毎に上部開口及び下部開口が設けられている構成とすることもできる。このように構成した場合、一つのケース本体に複数の収容孔を配置した形態となる
。これにより、一つの収納ケースとしてコンパクトにまとめつつ、より多くのポーションを収容することができる。さらに、各収容孔毎に、大きさや種類あるいは内容物の異なるポーションを収納する形態とすることもできる。これにより利便性をさらに高めることができる。
【発明の効果】
【００１７】
本発明のポーション収納ケースによれば、簡易な構成で低コストで製作でき、整列状態のポーションを含めて外観上の体裁も良く、しかもポーションの収納作業性や取り出し操作性にも極めて優れている。
【発明を実施するための最良の形態】
【００１８】
以下、本発明の好適な実施の形態について、図面を参照して説明する。
（第１の実施形態）
図１は本発明の第１の実施形態に係るポーション収納ケースを示す斜視図であり、図２は図１のＡ−Ａ線に沿った縦断面図である。
【００１９】
この図１及び図２に示すポーション収納ケース１は、複数のポーションＰを上下に積み重ねて収容可能な収容孔２を有するケース本体３と、ケース本体３を起立状態に支持するプレート状の支持部４とを備えている。ケース本体３は縦長の筒状であって、その上端にはポーションＰを収容孔２内に収容するための上部開口３１が設けられている。ケース本体３の下部には、収容孔２内の最下段のポーションＰを取り出すための下部開口３２が設けられている。
【００２０】
ケース本体３及び支持部４を形成する材料としては、製作性の点から樹脂製とするのが好ましい。しかし、インテリアとしての観点からは、木製、厚紙製、金属製、金や銀等の貴金属製としてもよい。また、樹脂製とする場合には、透明、半透明、着色透明などとすることも任意である。
【００２１】
この実施形態で示すポーションＰは、クリームを液状にして封入した市販のものであり、上面開口の周囲にフランジ５ａを形成した樹脂製の本体部５と、フランジ５ａの表面に対して剥離可能に密着させた樹脂シート状のシール蓋５ｂとを有している。ポーションＰのシール蓋５ｂは、平面円形状輪郭部５１と、開封時の摘みとして機能させるために水平方向に鋭角状に突出した平面三角形状輪郭部５２とを有し、全体が変形楕円状に形成されている。
【００２２】
したがって、ケース本体３の収容孔２も、その水平断面形状がポーションＰの平面形状に対応するように形成されている。これにより、収容孔２の内面形状はポーションＰを整列状態で上下多段に積み重ねて収容できる形状となっている。即ち、収容孔２の水平断面形状は、ポーションＰのシール蓋５ｂの平面形状と相似し、かつ、ポーションＰが自重落下できるように、僅かに大きめに形成されている。上部開口３１の口縁はポーションＰを収容孔２内へ直立状態で挿入しやすいようにガイド用傾斜面３ａに形成されている。
【００２３】
また、この実施形態では、ケース本体３の肉厚をほぼ同じにすることで、その外周面の水平断面形状もシール蓋５ｂの平面形状と相似する形状としている。さらに、プレート状の支持部４の平面形状もシール蓋５ｂの平面形状と相似する形状としている。これにより、ポーション収納ケース全体がシンプルで美しい外観となるように配慮している。
【００２４】
この実施形態のケース本体３には、下部開口３２からポーションＰを取り出す際に、その直上に位置するポーションＰ１が最下段へ自重で移動する姿勢を制御する姿勢制御部が設けられている。
【００２５】
このポーションＰの姿勢制御部としては、ここでは突起２１を採用している。この突起２１は、収容孔２の内壁面であってポーションＰの取り出し方向（図２で示す矢印方向）と反対側の内壁面２２から突出し、最下段の直上に位置するポーションＰ１のフランジ５ａ下面に仮係合可能な長さに形成されている。この突起２１はケース本体３と同じ樹脂で形成してもよいし、図示例のように内壁面２２に開けた穴に外側から金属線を差し込んで形成してもよい。
【００２６】
この突起２１がフランジ５ａ下面に仮係合する位置は、ポーションＰ１の平面三角形状輪郭部５２と反対側の平面円弧状輪郭部５１に対応する位置である。これにより、平面三角形状輪郭部５２が下部開口３２から突出した取り出し用の摘み部分として機能するように配慮されている。
【００２７】
この突起２１からなる姿勢制御部を設けたことで、ポーションＰ全体を整列状態の姿勢に保ちつつ、直上のポーションを最下段へ自重で移動させることが可能になる。これにより、ポーションの取り出し操作性が向上する。
【００２８】
また、このようにフランジ５ａに仮係合可能な突起２１を設けたことで、最下段のポーションＰを取り出す際に、その直上のポーションＰ１を一時的に自重落下させない作用を発揮させることができる。即ち、積み重ねられた状態で最下段のポーションＰを取り出すと、その取り出すポーションＰによって支持されていた直上のポーションＰ１の支持位置が連続的に変化して最後に無くなるため、それに伴って直上のポーションＰ１は傾斜しながら自重落下することになる。この点、突起２１によって直上のポーションＰ１を一時的に支持しておくことにより、整列時の直立姿勢を保持しつつ自重落下させることができる。
【００２９】
プレート状の支持部４の表面（上面）には、ポーションＰ用のガイド溝４ａが設けられている。このガイド溝４ａは、ポーションＰの位置決め機能に加えて、ポーションＰを取り出す際の取り出し方向を直感的に判るように設けたものである。従って、このガイド溝４ａの溝幅は、ポーションＰの本体部５の下面の直径よりも僅かに大きく形成されている。さらに、このガイド溝４ａはポーションＰの取り出し方向へ延びている。ガイド溝４ａの深さはポーションＰが横へずれにくい程度の深さに形成されている。ガイド溝４ａの底面には滑りを良くするためのローレット４ｂが形成されている。
【００３０】
下部開口３２は、ケース本体３の下端と下部側面との境界部分を内壁面２２側へ「くの字状に」切り込んて開口（図２参照）させた形状であり、実質的には、ケース本体の下部とプレート状支持部４の上面との間に形成されている。これにより、ポーションＰの摘み部分５２を下部開口３２内で摘み、ポーションＰを手で直接取り出すことができるように配慮している。
【００３１】
なお、ケース本体３の下部内壁面とプレー状支持部４の上面との境界部分は直角に交差しないように円弧状に湾曲するガイド曲面２３に形成されている。このガイド曲面２３は、例えばポーションＰが最下段に自重落下する際に摘み部分５２が前下がりに傾斜した状態で落下しても、そのポーションＰの下部周縁をガイドして支持部４の上面へ直立状態で着座できるように設けたものである。したがって、このガイド曲面２３の曲率半径としては、フランジ５ａの突出長さと同等あるいはそれ以下に形成するのが望ましい。
【００３２】
このポーション収納ケース１の使用方法としては、図１に示すように、複数のポーションＰを上部開口３１から直立状態で順次投入して収容孔２内で多段に積み重ねる。その際、収容孔２の平面輪郭をポーションＰの平面輪郭と相似形としかつ僅かに大きく形成して
あるので、各ポーションＰは一方向に向いた状態で自重落下し、多段に積み重なることができる。このとき、下から２段目のポーションＰ１のフランジ５ａ部分が突起２１に仮係合する。この状態で、最下段のポーションＰの摘み部分５２は下部開口３２から突出する。したがって、その部分を指で摘んで単に引き出すことで、これを使用することができる。
【００３３】
最下段のポーションＰが引き出されると、その上のポーションＰ１も相互摩擦によって友引きされて僅かに矢印方向（図２参照）へ移動する。最下段のポーションＰが完全に取り出されると、その上のポーションＰ１は自重落下して最下段へ移動する。自重落下の途中で、突起２１に対するフランジ５ａの仮係合が外れる。さらに、自重落下の途中で、ポーションＰの傾斜状態によってガイド曲面２３がガイド作用を発揮する。
【００３４】
（第２の実施形態）
図３は本発明の第２の実施形態を示す斜視図である。なお、この図３において、図１と本質的に同一の構成要素については同一の符号を付してその説明を省略又は簡略化する。
【００３５】
この実施形態では、ケース本体３に対して、収容孔２内に収容されたポーションＰの一部を外部に露呈させるためのスリット３３がケース本体３の上下方向に延びている構成としたものである。このスリット３３については、１ｃｍ幅前後として、そこからポーションＰの摘み部分５２を露呈させる構成としている。このように、スリット３３の幅を指先が入る程度（１ｃｍ程度）に大きくした場合、ポーションを収容孔２内に収納する際のガイドや整列操作用などの機能を発揮させることができる。
【００３６】
（第３の実施形態）
図４は本発明の第３の実施形態を示す斜視図である。なお、この図４において、図１と本質的に同一の構成要素については同一の符号を付してその説明を省略又は簡略化する。
【００３７】
この実施形態のポーション収納ケース１は、間隔をおいて配置された筒状のケース本体３を複数備え、各ケース本体３は一つの円形プレート状の支持部４によって支持されている構成としたものである。この図４では、ケース本体３は３つ配置されている。それぞれのケース本体３の高さは異なるが、各ケース本体３の基本形状や機能は図１で示したものと同様である。
【００３８】
このように構成した場合、筒状のケース本体３がタワー状に複数起立し、それらが一つの支持部４によって支持される形態となるので、外観に変化を付けることができるだけでなく、より多くのポーションＰを収容することができる。さらに、各ケース本体３毎に、大きさや種類あるいは内容物の異なるポーションＰを収納する形態とすることもできる。これにより利便性をさらに高めることができる。
【００３９】
（第４の実施形態）
図５は本発明の第４の実施形態を示す斜視図である。なお、この図５において、図１と本質的に同一の構成要素については同一の符号を付してその説明を省略又は簡略化する。
【００４０】
この実施形態のポーション収納ケース１は三角柱状に形成されたケース本体３と、そのケース本体３を起立状態に指示するプレート状の支持部４とを備えている。そして、ケース本体３は、間隔をおいて配置された複数（３つ）の収容孔２を有し、各収容孔２毎に上部開口３１及び下部開口３２が設けられている構成としたものである。なお、支持部４も平面ほぼ三角形状に形成されている。また、ケース本体３及び支持部４の何れも、外観に配慮して、コーナ部分が縁取りされた曲面に形成されている。また、各収容孔２の下部開口３２は三角柱状に形成されたケース本体３のコーナ部分に設けられている。
【００４１】
このように構成した場合、一つのケース本体３に複数の収容孔２を配置した形態となる。これにより、一つの収納ケースとしてコンパクトにまとめつつ、より多くのポーションを収容することができる。さらに、各収容孔毎に、大きさや種類あるいは内容物の異なるポーションを収納する形態とすることもできる。これにより利便性をさらに高めることができる。また、各収容孔２の下部開口３２を三角柱状に形成されたケース本体３のコーナ部分に設けることで、即ち、各収容孔２の向きをコーナ部分に向けた配置とすることで、有効面積の効率的な配置となり、ケース本体３をよりコンパクトにすることができる。
【００４２】
（第５の実施形態）
図６は本発明の第５の実施形態を示す斜視図である。なお、この図６において、図１と本質的に同一の構成要素については同一の符号を付してその説明を省略又は簡略化する。
【００４３】
この実施形態のポーション収納ケース１も、図５に示す例と同様に、三角柱状に形成されたケース本体３と、そのケース本体３を起立状態に指示するプレート状の支持部４とを備えている。そして、ケース本体３は、間隔をおいて配置された複数（３つ）の収容孔２を有し、各収容孔２毎に上部開口３１及び下部開口３２が設けられている構成としたものである。なお、支持部４も平面ほぼ三角形状に形成されている。また、ケース本体３及び支持部４の何れも、外観に配慮して、コーナ部分が縁取りされた曲面に形成されている。また、各収容孔２の下部開口３２は三角柱状に形成されたケース本体３のコーナ部分に設けられている。
【００４４】
ただし、この図６に示す例では、ケース本体３に対して、各収容孔２内に収容されたポーションＰの一部を外部に露呈させるためのスリット３３がケース本体３の上下方向に延びている構成としたものである。このスリット３３についても、１ｃｍ幅前後として、そこからポーションＰの摘み部分５２を露呈させる構成としている。
【００４５】
（第６の実施形態）
図７は本発明の第６の実施形態を示す斜視図である。なお、この図７において、図１と本質的に同一の構成要素については同一の符号を付してその説明を省略又は簡略化する。
【００４６】
この実施形態のポーション収納ケース１も、図５に示す例と同様に、三角柱状に形成されたケース本体３と、そのケース本体３を起立状態に指示するプレート状の支持部４とを備えている。そして、ケース本体３は、間隔をおいて配置された複数（３つ）の収容孔２を有し、各収容孔２毎に上部開口３１及び下部開口３２が設けられている構成としたものである。
【００４７】
ただし、この図７に示す例では、収容孔２の下部開口３２は三角柱状に形成されたケース本体３のコーナ部分ではなく、隣り合うコーナ部分の中間部分に設けている。さらに、ケース本体３に対して、各収容孔２内に収容されたポーションＰの一部を外部に露呈させるためのスリット３３がケース本体３の上下方向に延びている構成としている。このスリット３３についても、１ｃｍ幅前後として、そこからポーションＰの摘み部分５２を露呈させる構成としている。
【００４８】
（第７の実施形態）
図８は本発明の第７の実施形態を示す斜視図である。なお、この図８において、図１と本質的に同一の構成要素については同一の符号を付してその説明を省略又は簡略化する。
【００４９】
この実施形態のポーション収納ケース１は、四角柱状に形成されたケース本体３と、そのケース本体３を起立状態に指示する四角プレート状の支持部４とを備えている。そして
、ケース本体３は、間隔をおいて配置された複数（４つ）の収容孔２を有し、各収容孔２毎に上部開口３１及び下部開口３２が設けられている構成としたものである。また、各収容孔２の下部開口３２は四角柱状に形成されたケース本体３の各コーナ部分に設けられている。
【００５０】
このように構成した場合、一つのケース本体３に複数（４つ）の収容孔２を配置した形態となる。これにより、一つの収納ケースとしてコンパクトにまとめつつ、より多くのポーションを収容することができる。さらに、各収容孔毎に、大きさや種類あるいは内容物の異なるポーションを収納する形態とすることもできる。これにより利便性をさらに高めることができる。また、各収容孔２の下部開口３２を四角柱状に形成されたケース本体３の各コーナ部分に設けることで、即ち、各収容孔２の向きをコーナ部分に向けた配置とすることで、有効面積の効率的な配置となり、ケース本体３をよりコンパクトにすることができる。
【００５１】
（第８の実施形態）
図９は本発明の第８の実施形態を示す斜視図である。なお、この図８において、図１と本質的に同一の構成要素については同一の符号を付してその説明を省略又は簡略化する。
【００５２】
この実施形態のポーション収納ケース１も、図８に示す例と同様に、四角柱状に形成されたケース本体３と、そのケース本体３を起立状態に指示するプレート状の支持部４とを備えている。そして、ケース本体３は、間隔をおいて配置された複数（４つ）の収容孔２を有し、各収容孔２毎に上部開口３１及び下部開口３２が設けられている構成としたものである。また、各収容孔２の下部開口３２は四角柱状に形成されたケース本体３のコーナ部分に設けられている。
【００５３】
ただし、この図９に示す例では、ケース本体３に対して、各収容孔２内に収容されたポーションＰの一部を外部に露呈させるためのスリット３３がケース本体３の上下方向に延びている構成としたものである。このスリット３３についても、１ｃｍ幅前後として、そこからポーションＰの摘み部分５２を露呈させる構成としている。
【００５４】
（第９の実施形態）
図１０は本発明の第９の実施形態を示す斜視図である。なお、この図１０において、図１と本質的に同一の構成要素については同一の符号を付してその説明を省略又は簡略化する。
【００５５】
この実施形態のポーション収納ケース１も、図８に示す例と同様に、四角柱状に形成されたケース本体３と、そのケース本体３を起立状態に指示するプレート状の支持部４とを備えている。そして、ケース本体３は、間隔をおいて配置された複数（４つ）の収容孔２を有し、各収容孔２毎に上部開口３１及び下部開口３２が設けられている構成としたものである。
【００５６】
ただし、この図１０に示す例では、収容孔２の下部開口３２は四角柱状に形成されたケース本体３のコーナ部分ではなく、隣り合うコーナ部分の中間部分に設けている。さらに、ケース本体３に対して、各収容孔２内に収容されたポーションＰの一部を外部に露呈させるためのスリット３３がケース本体３の上下方向に延びている構成としている。このスリット３３についても、１ｃｍ幅前後として、そこからポーションＰの摘み部分５２を露呈させる構成としている。
【００５７】
（第１０の実施形態）
図１１は、図３で示す形状のポーション収納ケース１を紙製とした場合の実施形態を示
すもので、（ａ）は組み立てた状態の斜視図、（ｂ）はケース本体の展開図、（ｃ）は支持部の平面図である。
【００５８】
この収納ケース１も、ケース本体３と支持部４を備えている。しかし、ケース本体３は図１１（ｂ）に示す展開図の第１厚紙３００で曲げ形成される。支持部４も円弧状スリット４０１を形成した第２厚紙４００で形成される。第１厚紙３００には、円弧状スリット４０１に差し込む突出部３０１が形成されている。したがって、突出部３０１を円弧状スリット４０１に差し込みながら第１厚紙３００を筒状に湾曲させ、差し込み部分を接着剤等で固定すれば、（ａ）に示すような、収容孔２、上部開口３１、下部開口３２、スリット３３を有するポーション収納ケース１００が得られる。この場合、第１厚紙３００の幅予め短くしておくことで、スリット３３も同時に形成される。なお、紙に限らず、湾曲容易な合成樹脂製等のプレートで形成することもできる。
【００５９】
この実施形態によれば、製作が容易で低コストであり、大量生産に適しているだけでなく、例えば購入者側で組み立てる組み立てキットとすれば、運搬にも適した形態とすることができる。
【００６０】
なお、本発明は、上述の実施形態にのみ限定されるものではなく、本発明の要旨を逸脱しない範囲内において種々変更を加え得ることは勿論である。例えば、第１の実施形態から、第１０の実施形態の利点のみを発揮できるように組み合わせた構成とすることもできる。
【図面の簡単な説明】
【００６１】
【図１】本発明の第１の実施形態に係る収納ケースの斜視図である。
【図２】図１のＡ−Ａ線に沿った縦断面図である。
【図３】第２の実施形態に係る収納ケースの斜視図である。
【図４】第３の実施形態に係る収納ケースの斜視図である。
【図５】第４の実施形態に係る収納ケースの斜視図である。
【図６】第５の実施形態に係る収納ケースの斜視図である。
【図７】第６の実施形態に係る収納ケースの斜視図である。
【図８】第７の実施形態に係る収納ケースの斜視図である。
【図９】第８の実施形態に係る収納ケースの斜視図である。
【図１０】第９の実施形態に係る収納ケースの斜視図である。
【図１１】第１０の実施形態に係る収納ケースの説明図である。
【符号の説明】
【００６２】
１、１００  ポーション収納ケース
２  収容孔
３  ケース本体
４  支持部
２１  突起（姿勢制御部）
２３  ガイド曲面
３１  上部開口
３２  下部開口
３３  スリット
Ｐ、Ｐ１  ポーション
【図１】
2006062657.tif 000003
【図２】
2006062657.tif 000004
【図３】
2006062657.tif 000005
【図４】
2006062657.tif 000006
【図５】
2006062657.tif 000007
【図６】
2006062657.tif 000008
【図７】
2006062657.tif 000009
【図８】
2006062657.tif 000010
【図９】
2006062657.tif 000011
【図１０】
2006062657.tif 000012
【図１１】
2006062657.tif 000013